(57)【特許請求の範囲】
【請求項１】
対向する面に配置された第１および第２の電極を有する対向する面を備えた電子部品であって、当該電子部品は対向する面を接続する側壁部分を含み、当該側壁部分の表面は外周を規定する、前記電子部品と、
前記第１の電極と接触する第１のコンタクト部分を含む第１の弾性支持と、
前記第１のコンタクト部分と異なる位置で前記第１の電極と接触する第２のコンタクト部分を含む第２の弾性支持と、
前記第１のコンタクト部分および前記第２のコンタクト部分よりも前記電子部品の中心に近接して配置され、かつ前記第２の電極と接触する第３のコンタクト部分を含む第３の弾性支持と、
前記第３の弾性支持と前記電子部品の同じ側に配置され、各々が先端を有する一対のオフセットポストとを有し、
前記先端の各々は、前記第１および第２のコンタクト部分よりも電子部品の軸に近接され、前記軸は、前記電子部品の重心を通りかつ前記電子部品にほぼ垂直であり、
前記オフセットポストは、前記第３の弾性支持よりも前記電子部品の外周に接近して位置され、
双方のオフセットポストは、前記電子部品から離間され、前記第２の電極および前記第３のコンタクト部分から電気的に絶縁されて配置され、
前記電子部品は、正温度係数（ＰＴＣ）サーミスタディスクを含む、電子装置。
【請求項２】
対向する面に配置された第１および第２の電極を有する対向する面を備えた電子部品であって、当該電子部品は対向する面を接続する側壁部分を含み、当該側壁部分の表面は外周を規定する、前記電子部品と、
前記第１の電極と接触する第１のコンタクト部分を含む第１の弾性支持と、
前記第１のコンタクト部分と異なる位置で前記第１の電極と接触する第２のコンタクト部分を含む第２の弾性支持と、
前記第１のコンタクト部分および前記第２のコンタクト部分よりも前記電子部品の中心に近接して配置され、かつ前記第２の電極と接触する第３のコンタクト部分を含む第３の弾性支持と、
前記第３の弾性支持と前記電子部品の同じ側に配置され、各々が先端を有する一対のオフセットポストとを有し、
前記先端の各々は、前記第１および第２のコンタクト部分よりも電子部品の軸に近接され、前記軸は、前記電子部品の重心を通りかつ前記電子部品にほぼ垂直であり、前記電子部品は、正温度係数（ＰＴＣ）サーミスタディスクを含み、
電子装置はさらに、前記第３の弾性支持に隣接し、前記軸の両側に一対のコンタクトアライメントポストを含む、電子装置。
【請求項３】
前記第３の弾性支持は、弾性的な支持である、請求項１または２に記載の装置。
【請求項４】
双方のオフセットポストは、ほぼ、０ミリメートル〜０．５ミリメートルの間で前記電子部品から離間される、請求項１または２に記載の電子装置。
【請求項５】
前記先端の各々は、斜めに切り取られた部分、および丸められた部分のうちのひとつを含む、請求項１または２に記載の電子装置。
【請求項６】
前記オフセットポストおよび対応するコンタクトアライメントポストは、それらの間に区画を形成し、破損された電子部品の破片を回収しそれらの破片を第１、第２および第３のコンタクト部分から絶縁する、請求項５に記載の電子装置。
【請求項７】
前記第１および第２のコンタクト部分の各々は、対応するオフセットポストより前記電子部品の外周に近接して位置される、請求項１または２に記載の電子装置。
【請求項８】
前記第１および第２の弾性支持のそれぞれが片持ち梁のスプリングを含む、請求項７に記載の電子装置。
【請求項９】
前記第１および第２弾性の支持、および対応する第１および第２のコンタクト部分は、前記電子部品上にそれぞれ第１および第２の力を印加し、前記電子部品は、前記第３の弾性支持および第３のコンタクト部分により印加された第３の力によって対抗され、
第３の力は第１の力よりも大きく、かつ第３の力は第２の力よりも大きい、請求項１または２に記載の電子装置。
【請求項１０】
電子装置はさらに、前記電子部品に実質的に並行に配置され、前記第３の弾性支持が搭載される端子コネクタを含み、
前記第３の力は、電子部品に実質的に垂直な軸方向に向けられる、請求項９に記載の電子装置。
【請求項１１】
前記第１および第２の力のそれぞれは、前記電子部品に実質的に垂直に方向付けられた力の構成成分と、前記電子部品の外周方向に向けられた構成成分とを有する、請求項９に記載の電子装置。
【請求項１２】
電子装置はさらに、前記電子装置および一体型モータプロテクタを収容するハウジングを含む、請求項１または２に記載の電子装置。
【請求項１３】
前記第３の弾性支持は、溶解の際に前記第３のコンタクト部分を前記第２の電極との電気的接続から外すヒュージブルリンクを含む、請求項１または２に記載の電子装置。
【請求項１４】
対向する面、および前記対向する面に位置された第１および第２の電極を有する電子部品であって、当該電子部品は、前記対向する面を接続する側壁部分を有し、当該側壁部分の面は外周を規定する、前記電子部品と、
前記第１の電極と接触する第１のコンタクト部分を含む第１の弾性支持に電気的に結合され、かつ前記第１のコンタクト部分とは異なる位置で前記第１の電極と接触する第２のコンタクト部分を含む第２の弾性支持に電気的に結合された第１端子コネクタと、
前記第１端子コネクタとは前記電子部品の異なった側に配置され、第３の支持に電気的に結合された第２の端子コネクタであって、前記第３の支持は、前記第２の電極に接触する第３のコンタクト部分を含み、第３のコンタクト部分は、前記第１のコンタクト部分および前記第２のコンタクト部分よりも前記電子部品の中央に近傍して配置された、前記第２の端子コネクタと、
前記電子部品から離間され、前記電子部品ならびに前記第１、第２および第３のコンタクト部分から電気的に絶縁され、前記第２の電極の側面上に設置された一対のオフセットポストであって、一対のオフセットポストは、それぞれ先端を有し、オフセットポストは、前記第３の支持よりも前記電子部品の外周に近接して位置され、かつ、前記第１のコンタクト部分および前記第２のコンタクト部分よりも前記電子部品の中心に近接して位置された、前記一対のオフセットポストと、
前記第３の支持に隣接して配され、かつ前記第３の支持を部分的に取り囲む、一対のコンタクトアライメントとを有し、
前記電子部品は、正温度係数（ＰＴＣ）サーミスタディスクを含み、
前記オフセットポストは、前記電子部品への電気的接触が取り除かれ、かつ破損部分とコンタクト部分間の電気的アーク放電が最小限にされるように、破損された電子部品の破損部分を分配するように配置される、電子装置。
【請求項１５】
電子部品への電気的接触が取り除かれ、かつ破損部分とコンタクト部分間の電気的アーク放電が最小限にされるように、破損された電子部品の破損部分を方向付ける方法であって、
前記電子部品を提供し、前記電子部品は、対向する面に配置された第１および第２の電極を有する対向する面を備え、当該電子部品は対向する面を接続する側壁部分を含み、当該側壁部分の表面は外周を規定し、前記電子部品は正温度係数（ＰＴＣ）サーミスタディスクを含んでおり、
ハウジング、および前記ハウジング内の前記電子部品の一方の側に配置され、前記第１の電極と接触する一対の第１および第２のスプリングコンタクトを提供し、
前記ハウジング内に、前記電子部品の反対側に配置され、前記第２の電極と接触しない一対のオフセットポストと、一対のオフセットポストの間に配置され前記第２の電極と接触する第３のコンタクトを提供し、前記一対のオフセットポストは、第３のコンタクトよりも前記電子部品の外周に接近して位置され、一対のオフセットポストの先端の各々は、前記第１および第２のスプリングコンタクトよりも電子部品の軸に近接され、
破損前に、前記第１および第２のスプリングコンタクトおよび前記第３のコンタクトによって前記電子部品を弾性的に支持し、
前記電子部品の故障後に、
前記一対のオフセットポストへの前記電子部品の接触を強制し、
破損された部分を前記第３のコンタクトから離すように分配する、方法。
【請求項１６】
前記破損された部分を分配することは、前記破損部分を前記一対のオフセットポストの外側のエッジの周りで回転させることを含む、請求項１５に記載の方法。
【請求項１７】
前記スプリングコンタクトは、片持ち梁のスプリングコンタクトである、請求項１５に記載の方法。
【発明の詳細な説明】
【技術分野】
【０００１】
本発明は、概してモータ始動装置に関し、特に、改良された故障制御を有する正温度特性（ＰＴＣ）サーミスタ装置に関する。
【背景技術】
【０００２】
冷却に適用する大抵の小さなコンプレッサは、コンプレッサ始動／補助モータ巻線に直列のＰＴＣ巻線を要し、始動／補助モータ巻線とモータ主巻線との間の位相シフトを提供するだけでなく、コンプレッサモータが運転回転速度に達したときに、始動／補助巻線の電流量を減少させる手段を提供している。サーミスタ（通常、ピルという）は、“熱暴走”と呼ばれる状態になる可能性があり、“熱暴走”は、その間にサーミスタ抵抗がその通常の安定状態の（自己制御された）抵抗を著しく上回って最大限の抵抗値（ＲＭＡＸ）を通過させ、その後に、サーミスタの抵抗が減少し、サーミスタが増加する電流により制御することができない比率で熱せられる、故障モードである。一つの起こりうるサーミスタの故障モードは破損(fracture)であり、それは、熱応力が原因で発生する。
【０００３】
村田製作所へ譲渡された特許文献１は、サーミスタの通常の耐用期間中にサーミスタとの接触を維持するスプリングコンタクトおよび非導電性のポストを有する、従来の装置を記載している。冷却コンプレッサの始動に使用されるサーミスタは、典型的に、電源の入った（高抵抗）状態の間、１６０-１７０℃で自己制御するので、サーミスタ電極と密接に接触する材料は、より高い相対温度指数（ＲＴＩ）を持たなければならないが、それはより高価である。さらに、この実施例は、ピルの対向する面でサーミスタの部分を引っ張りおよび圧縮状態におき、それらの力がサーミスタの他方の端部付近で方向が反転される。残念ながら、もし、電流が停止されるという意味でピルにクラックが生じないというある状況では、ピルの破損された部分（これは、破片（rubble）とも称される）は、アーク放電やオーバーヒートを引き起こし得る内部端子と電気的な接続を保っている。
【０００４】
冷却への応用では、ピルの故障後の電気的なアーク放電、電流、その結果生じるオーバーヒートを最小限にする、より信頼性が高く、より低コストな設計が求められる。従来のサーミスタ装置は、サーミスタの故障後に、過度のオーバーヒートや電気的なアーク放電を取り除くことに常に失敗しているわけではない。
【先行技術文献】
【特許文献】
【０００５】
【特許文献１】米国特許番号６，１７２，５９３号公報
【発明の概要】
【発明が解決しようとする課題】
【０００６】
従来のサーミスタ装置は、破片のいくつかが導電性部品の間に挟まったままであるため、内部部品の故障後のオーバーヒートやアーク放電といった問題を十分に取り除いていない。
【０００７】
本発明のひとつの実施例では、電子装置は、対向する面に配置された第１および第２の電極を有する対向する面を備えた電子部品であって、当該電子部品は対向する面を接続する側壁部分を含み、当該側壁部分の表面は外周を規定する、前記電子部品と、前記第１の電極と接触する第１のコンタクト部分を含む第１の弾性支持と、前記第１のコンタクト部分と異なる位置で前記第１の電極と接触する第２のコンタクト部分を含む第２の弾性支持とを有する。電子装置はさらに、前記第１のコンタクト部分および前記第２のコンタクト部分よりも前記電子部品の中心の近接して配置され、かつ前記第２の電極と接触する第３のコンタクト部分を含む第３の弾性支持と、前記第３の支持と前記電子部品の同じ側に配置され、各々が先端を有する一対のオフセットポストとを有し、前記先端の各々は、前記第１および第２のコンタクト部分よりも電子部品の軸に近接され、前記軸は、前記電子部品の重心を通りかつ前記電子部品にほぼ垂直である。このような設計は、効果的に、位置決めされたダイナミックな力をより良く提供し、かつ故障後に不所望な電気的接触を最小限にするような支点（てこ）の位置を提供する。
【０００８】
ある実施例では、前記第１および第２弾性の支持、および対応する第１および第２のコンタクト部分は、前記電子部品上にそれぞれ第１および第２の力を印加し、前記電子部品は、前記第３の支持および第３のコンタクト部分により印加された第３の力によって対抗され、第３の力は、それだけで第１および第２の力ののどちらよりも大きい。この力の分配は、故障状態にある破片の配置を改善する。
【０００９】
他の実施例は、弾性的な第３の支持、斜めに切り取られた部分もしくは丸められた部分、および電子部品から離間されたオフセットポストを提供する。このような特徴は、導電性のある破片を電気的な接触から離れるように分配することにより優れかつ効果的であることができ、これにより、アーク放電およびオーバーヒートを最小限にする。
【００１０】
また他の実施例では、第１および第２の弾性支持の各々が片持ち梁のスプリングを含む。片持ち梁のスプリングを利用することにより、破損されたピルの断片を電気的なコンタクト部分からより離れて配置するような追加的な力を加えることができる。さらにその他の本発明の態様では、第３の支持はヒュージブルリンクと、電子部品の故障に応じて、第２の電極と電気的に接触から第３のコンタクト部分を引き離すように適応された、少なくとも１つの退避スプリングとを含む。
【００１１】
本発明のその他の態様は、電子部材への電気的接触が取り除かれ、かつ破損部分とコンタクト部分間の電気的アーク放電が最小限にされるように、破損された電子部品の破損部分を方向付ける方法であり、ハウジング、および前記ハウジング内の前記電子部品の一方の側に配置された一対の第１および第２のスプリングコンタクトを提供するステップと、前記ハウジング内に、前記電子部品の反対側に一対のオフセットポストと、一対のオフセットポストの間に配置された第３のコンタクトを提供するステップと、故障前に第１、第２、第３のスプリングコンタクトで電子部品を弾性的に支持するステップとを有する。電子部品の故障後に、この技術さらに、一対のオフセットポストへの電子部品の接触を強制し、破損された部分を第３のコンタクトから離しように分配することを含む。ここに開示される実施例は、アメリカ合衆国マサチューセッツ州アテルボロ所在のセンサータ・テクノロジーズインクにより製造されたような装置において使用されることができる。
【図面の簡単な説明】
【００１２】
前述の内容は、添付する図面に例示されるように、ここに開示された以下の特定の実施例から明らかである。種々の図面において、参照番号は同じ部分を示す。図面は必ずしも一定のスケールであるものではなく、ここに開示される原理を例証することを重視したものである。
【図１】図１は、本発明のひとつの実施例に従ったＰＴＣサーミスタ装置の概略図である。
【図２】図２は、ＰＴＣサーミスタが故障した後の図１に示されたＰＴＣサーミスタ装置の概略図である。
【図３】図３は、本発明のひとつの実施例に従った、図１に示された装置と類似のＰＴＣサーミスタ装置の概略図である。
【図４】図４は、本発明の他の実施例に従った、図１に示された装置と類似のＰＴＣサーミスタ装置の概略図である。
【図５】図５は、ＰＴＣサーミスタが故障した後の図４に示されたＰＴＣサーミスタ装置の概略図である。
【図６】図６は、本発明の代替の実施例に従ったＰＴＣサーミスタ装置の斜視図であって、装置の内部構造を視覚的に明らかにするため、ケースカバーが装置の残りの部分から分離されるように示されている。
【図７】図７は、図６のＰＴＣサーミスタ装置の頂部断面図である。
【図８】図８は、図６のＰＴＣサーミスタ装置の下部ハウジング内に組み立てられたいくつかの部品を例示する頂部断面図である。
【実施例】
【００１３】
ここに開示される本発明の実施例は、部品の故障の後にアーク放電およびオーバーヒートを最小限にするために改良されたＰＴＣサーミスタ装置を提供する。実施例は、故障したサーミスタ“ピル”の破損を助長するように構成され、かつアーク放電およびオーバーヒートを最小限にするために破損したピルの断片を電気的導電性のコンタクトから離れた別の場所に配置するように構成された、サポート（支持）、コンタクトおよびオフセットポストを含む。
【００１４】
図１を参照すると、模範的なサーミスタ装置１００は、第１および第２の電極１１２、１１４を有する電子部品１１０（ピル１１０とも称する）を含み、それぞれの電極は、電子部品１１０の対向する面に置かれている。電子部品１１０は、対向する面を接続する側壁部分を含み、側壁部分の表面は、電子部品１１０の外周１１３を定める。典型的に、ピル１１０は、従来から公知の正温度特性（ＰＴＣ）セラミックのディスク形状の部材である。
【００１５】
ＰＴＣサーミスタ装置１００はさらに、第１の電極１１２と接続する第１のコンタクト部分１０４ａを含む第１の弾性支持１０２ａと、第１の電極１１２と接続する第２のコンタクト部分１０４ｂを含む第２の弾性支持１０２ｂとを含み、第２のコンタクト部分１０４ｂは、ピルの中央の対向する側で第１のコンタクト部分１０４ａと異なる場所にある。ＰＴＣサーミスタ装置１００はさらに、第１のコンタクト部分１０４ａおよび第２のコンタクト部分１０４ｂよりもピル１１０の中心近傍に配置された第３の支持１０８を含む。第３の支持１０８は、第２の電極１１４に接続される第３のコンタクト部分１０９を含み、第３の支持１０８とピルの同じ側に一対のオフセットポスト１０６ａおよび１０６ｂ（集合的にオフセットポスト１０６と称する）が配置される。オフセットポスト１０６の各々は、先端１０７ａおよび１０７ｂを有し、各々の先端１０７ａおよび１０７ｂは、第１および第２のコンタクト部分１０４ａおよび１０４ｂよりもピルの重心を通過する軸１１６に近接しかつピル１１０に対して垂直である。好ましくは、オフセットポスト１０６は、軸１１６を含む平面の対向する側（すなわち、コンタクト部分１０９の対向する側）に配置され、第１および第２のコンタクト部分１０４ａ、１０４ｂのそれぞれは、ピル１１０の重心部分１１５をまたぎ、かつ対応するオフセットポスト１０６ａおよび１０６ｂよりもさらに重心部分から離れて位置される。オフセットポスト１０６の端部の形状は、それに限定されるのではないが、矩形状の部分、円形部分および傾斜部分を含むことができる。
【００１６】
好ましい実施例において、オフセットポスト１０６は、第３の支持１０８よりもピル１１０の外周１１３の近接して配置される。この構成では、オフセットポスト１０６は、故障の際にピル１１０の破損を助長するためのもう一つのてこを提供する。
【００１７】
サーミスタ装置１００の通常動作においては、ピル１１０は、２つの対向する導電性端子（図１には表されない）の間で機械的に支持される。一方の端子は、第１の弾性支持１０２ａおよび第２の弾性支持１０２ｂ（集合的に弾性支持１０２と称する）に取り付けられ、他方の端子は、第３の支持１０８に取り付けられ、ある実施例では、第３の支持は、剛性の支持である。
【００１８】
好ましい実施例において、ピルが正常に動作しているとき、オフセットポスト１０６はピル１１０と接触していない。本実施例では、双方のオフセットポスト１０６は、ピル１１０から離されており、第２の電極１１４および第３のコンタクト部分１０９から電気的に絶縁されている。オフセットポスト１０６は、概して第２の電極１１４から２ミリメートル未満にあり、好ましくは、ほぼ、０ミリメートルと０．５ミリメートルの間にある。通常動作中に密接な接触がないので、第２の電極１１４と直に接触された場合に想定される温度に晒されることがなく、高価でない材料をオフセットポストに用いられることができる。さらに、このような材料は、典型的にモールドが容易であるばかりか、壊れにくい。
【００１９】
通常動作の状況下において、第１および第２の弾性支持１０２と対応する第１および第２のコンタクト部分１０４ａ、１０４ｂ（集合的に接続部１０４と称する）は、それぞれ電子部品に第１および第２の力を印加し、その電子部品は、第３の支持１０８および第３のコンタクト部分１０９によって印加された第３の力により対抗される。第３の力は、概して第１の力および第２の力よりも大きい。ピル１１０の中心におおよそ第３の支持１０８によって印加される力は、ピル１１０の故障時に、ピル１１０の軸１１６を通過する面に沿った破損の可能性を増加させる。
【００２０】
図２を参照すると、ピル１１０の破損の際に、第１のコンタクト部分１０４ａを含む第１の弾性支持１０２ａと、第２のコンタクト部分１０４ｂを含む第２の弾性支持１０２ｂとは、ピル１１０の断片をオフセットポスト１０６ａおよび１０６ｂに向けて動かし、断片が分配され、第２の電極１１４が第３のコンタクト部分１０９とピル１１０’の断片から分離される。図３は、図１のＰＴＣサーミスタ装置１００と類似したサーミスタ装置１００’を示す。ここでは、第３の支持１１８は、コンタクト部分１２０を有する弾性のあるコンタクト１１８である。
【００２１】
図４を参照すると、図３のサーミスタ装置１００’に類似する別のサーミスタ装置１００”は、例えば、はんだ接合のようなヒュージブルリンク１３４により接続された別個の導電性部材１３５によって支持された第３の支持１２８を含む。サーミスタ装置１００”は、第３のコンタクト部分１０９を部分的に取り囲むアライメントポスト１３２ａおよび１３２ｂを含む。サーミスタ装置１００”はさらに、第３の支持１２８とアライメントポスト１３２ａ、１３２ｂ（集合的にアライメントポスト１３２と称する）とにそれぞれ結合された１つもしくはそれ以上の退却（withdrawal）スプリング１３０ａ、１３０ｂを含む。ある実施例では、アライメントポスト１３２は、それらの間にあって第３のコンタクト部分１０９を部分的に取り囲む第３の支持の上方に位置された穴１３８を形成し、ピル１１０の故障の際に第３の支持１２８（スプリングコンタクトともいう）をさらに絶縁する。任意の絶縁部材１３６（図４を参照）は、ヒュージブルリンク１３４の近傍に位置決めされることができ、第３の支持および支持する導電性部材１３５がヒュージブルリンク１３４の溶解によって分離されるのを確実にし、さらに対向する端子間の電気的接触の可能性を減らす。ヒュージブルリンク１３４は、冷凍庫コンプレッサの持続運転によって引き起こされる最大周囲温度および電流で溶融しないよう設計される。但し、ピル１１０が前述の冷却コンプレッサ用に設計され起動している場合に限る。
【００２２】
図５にあるように、ピル１１０の故障の後、ピル１１０内もしくはその断片内で熱暴走により発生した過度の熱は、単一のスプリングコンタクト（１３５、１２８、１０９）を通して、熱および／または過度の電流を伝導し、これにより、ヒュージブルリンク１３４を溶融し、単一のスプリングコンタクト１２８から支持を取り外す。退却スプリング１３０ａ、１３０ｂは、その後、単一のスプリングコンタクト１２８とコンタクト部分１０９を第２の電極１１４から引き離させる。スプリングコンタクト１２８は、穴１３８内へ後退させられて、対向する端子間の電気的な接触の可能性を減少させる。任意の絶縁部材１３６は、スプリングコンタクトと支持する導電性部材をその２つの部分がヒュージブルリンク１３４の溶融によって分離するときに分割し、さらに対向する端子間の電気的接続の可能性を減少させる。
【００２３】
図６は、より詳細に、図１のピル１１０と類似のピル１１０を含むまた別のサーミスタ装置６００を例示する。サーミスタ装置６００は、上部ハウジング６０１と下部ハウジング６０３とを含み、ハウジングは、第１の電極１１２に接触する第１のコンタクト部分６０４ａを含む第１の弾性支持６０２ａと第１のコンタクト部分６０４ａとは異なる位置で第１の電極１１２に接触する第２のコンタクト部分６０４ｂを含む第２の弾性支持６０２ｂとに電気的に結合された第１の端子コネクタ６０５を収容する。サーミスタ装置６００はさらに、第１の端子６０５とはピル１１０の異なる側に配置され、かつ第２の電極１１４に接触する第３のコンタクト部分６０９を有する第３の支持６０８に電気的に結合された第２の端子コネクタ６０７を含み、第３のコンタクト部分６０９は、第１のコンタクト部分６０４ａおよび第２のコンタクト部分６０４ｂよりもピル１１０の中心により近くに配置される。
【００２４】
ある実施例では、第１のコンタクト部分６０４ａ、第２のコンタクト部分６０４ｂおよび第３のコンタクト部分６０９はそれぞれ複数のスプリットフィンガー６１７を含むことができ、例えば図６には３つのフィンガーが示されている。下部ハウジング６０３に取り付けられた一対のオフセットポスト６０６ａ、６０６ｂ（集合的にオフセットポスト６０６と称する）は、ある実施例では、ピル１１０から離間され、そして、ピル１１０、第１のコンタクト部分６０４ａ、第２のコンタクト部分６０４ｂおよび第３のコンタクト部分６０９とから電気的に絶縁される。
【００２５】
オフセットポスト６０６は、第２の電極１１４の側に位置され、それぞれのオフセットポストは、先端を含み（詳細は図８を参照のこと）、オフセットポストは、第３の支持６０８よりも電子部品の外周１１３の近傍であって第３の支持６０８の両側に配置される。オフセットポスト６０６は、破損されたピル１１０’の破損部分を分配するように配置され、破損されたピル１１０’への電気的接続が取り除かれ、かつ破損された部分とコンタクト部分６０４および６０９との間の電気的アーク放電が最小化される。
【００２６】
図７は、装置６００の断面を頂部から見た図であり、第３の支持の主軸に沿って整合されかつピル１１０に対しておおよそ垂直である軸６１６に関して、構成部品の位置を例示している。ある実施例では、第１および第２の弾性支持６０２は、片持ちスプリングである。第１および第２の弾性支持６０２と対応する第１および第２のコンタクト部分６０４とは、第１および第２の力をそれぞれピル１１０上に印加するが、ピル１１０は、第３の支持６０８および第３のコンタクト部分６０９により印加された第３の力によって対抗される。第３の力は、典型的に第１の力よりも大きく、かつ第３の力は第２の力よりも大きい。このような構成は、故障の際に破損されたピル１１０’の分配を促進する。
【００２７】
組み立て後、第３の支持は、ピル１１０に実質的に平行である第２の端子コネクタ６０７に搭載されかつ電気的に接続され、第３の力は、ピル１１０に対して実質的に垂直である軸に沿う方向に向けられる。第１および第２の力は、ピル１１０に実質的に垂直の方向の力の成分を有し、片持ち梁か類似のバネを使用する実施例では、力の成分は、また、電子部品の外周へ向けられる。ある実施例では、弾性支持６０２は、第１の端子コネクタ６０５に溶接され、第３の支持６０８は、第２の端子コネクタ６０７に溶接される。また別の実施例では、第１の弾性支持６０２ａ、第２の弾性支持６０２ｂおよび第１の端子コネクタ６０５は、集積されて一体型の端子部品であることができる。第３の支持６０８および第２の端子コネクタ６０７もまた、一体型の端子部品に集積または結合されることができる。
【００２８】
図８に示されるより詳細な具体例では、装置６００はさらに、電子部品１１０から離間された一対のオフセットポスト６０６を含み、これは、電子部材１１０、第１、第２、および第３のコンタクト部分６０２ａ、６０２ｂ、６０８からそれぞれ電気的に絶縁されている。オフセットポスト６０６は、第２の電極１１４の側に配置され、各オフセットポストは、先端８３５に斜めの切断された部分を有する。ある実施例では、オフセットポストは、第３の支持６０８よりもピル１１０の外周１１３の近傍して配置され、傾斜部分は、ピル１１０の中心から離れた側で角度をつけられ、；また、傾斜された先端は、第２および第３のコンタクト部分６０２ａ、６０２ｂのピルの接触部よりも軸１１６に近い。双方のオフセットポストは、好ましくはピル１１０から離間され、第２の電極１１４および第３のコンタクト部分６０８から電気的に絶縁されている。これらの配置および形状の特徴は、ピル１１０の故障に際して、区画８４２、８４４、８４６および８４８へピルの破片が分配されるのを促進する。
【００２９】
一対のコンタクトアライメントポスト８３２ａおよび８３２ｂは、第３の支持６０８に隣接し、かつ軸１１６の対向する側に配置される。ある実施例では、オフセットポスト６０６および対応するコンタクトアライメントポスト８３２ａ、８３２ｂは、それらの間に区画８４６を形成し、破損された電子部品の破片（ラブル）を回収しこれらをコンタクト部分６０９および６０４から絶縁する。一対のコンタクトアライメントポスト８３２ａおよび８３２ｂ（以降、集合的にアライメントポスト８３２という）は、製造および運転中において、第３の支持６０８および第３のコンタクト部分６０９の整合、保護、および配向を容易にする。ある実施例では、第３の支持６０８は、弾性的な支持であり、別の実施例では、第３の支持６０８および第３のコンタクト部分６０９は、
剛性の支持として一体にされ、例えば、一端がコンタクト部分で終端する１つの導電性部品であり、コンタクト部分は、正常な動作状態下でピル１１０を損傷しなが、故障の際にピル１１０の破損を手助けする。また別の実施例では、第３の支持６０８および第３のコンタクト部分６０９は、導電性のペデスタル（台座）として実施される。またさらに別の実施例では、一体化されたモータプロテクタ（図示しない）がハウジング内に収容されサーミスタ装置１００に電気的に接続される。
【００３０】
ピル１１０が破損する前に、ピル１１０は、第３の支持６０８に抗してピル１１０を押す弾性コンタクト６０２によって支持され、第３の支持は、上述のように弾性的な支持上での剛性的な支持となり得る。ピル１１０が故障した後に、破損されたピル１１０’は、一対のオフセットポスト６０６に接触を強いられ、その結果、破損されたピル１１０’の破損部分は、第１、第２および第３のコンタクトから離れるように分配される。ある故障モードでは、破損された部分は、一対のオフセットポストの外側のエッジ（例えば、傾斜された先端）の周りで回転され、区画８４２、８４４および８４６に分配される。
【００３１】
本発明は、特に好ましい実施例に関して説明されたが、通常の当業者には、これらの変更や修正を成し得ることは明らかである。それゆえ、添付の請求項は、そのような変降や修正を含むよう先行技術の観点からできうる限り広く理解されることを意図している。
【符号の説明】
【００３２】
１００：サーミスタ装置
１０２ａ：第１の弾性支持
１０２ｂ：第２の弾性支持
１０４ａ：第１のコンタクト部分
１０４ｂ：第２のコンタクト部分
１０６ａ：オフセットポスト
１０７ａ、１０７ｂ：先端
１０８：第３の支持
１０９：第３のコンタクト部分
１１０：電子部品（ピル）
１１２：第１の電極
１１３：外周
１１４：第２の電極
１１６：軸
１２８：第３の支持
１３０ａ、１３０ｂ：退却スプリング
１３２ａ、１３２ｂ：アライメントポスト
１３４：ヒュージブルリンク
１３５：導電性部材
【図１】
0005713632.tif 000002
【図２】
0005713632.tif 000003
【図３】
0005713632.tif 000004
【図４】
0005713632.tif 000005
【図５】
0005713632.tif 000006
【図６】
0005713632.tif 000007
【図７】
0005713632.tif 000008
【図８】
0005713632.tif 000009